(57)【要約】      （修正有）【課題】光学走査装置の小型化を図ると共に、２つのレーザ光源装置を主走査方向に精度良く配置する。【解決手段】レーザ光を出射する複数のレーザ光源装置と、複数のレーザ光源装置から出射したレーザ光を偏向する回転多面鏡と、偏向されたレーザ光を像担持体上に結像する反射ミラー、ｆθレンズと、レーザ光源装置と回転多面鏡と反射ミラー、ｆθレンズを所望の位置に配置する光学箱２９を有する光学走査装置において、複数のレーザ光源装置は出射した複数のレーザ光が回転多面鏡の同一面によって走査されるように副走査方向に近接して配置され、光学箱２９は主走査方向において複数のレーザ光源装置が当接して位置決めされる支持部６２Ｍと副走査方向において複数のレーザ光源装置が当接して位置決めされる支持部６４Ｍとを有する。【選択図】図５
2008268239.tif 000002
【特許請求の範囲】
【請求項１】
レーザ光を出射する第１のレーザ光源装置と、前記第１のレーザ光源装置に対して副走査方向にずれて配置された第２のレーザ光源装置と、前記第１のレーザ光源装置から出射する第１のレーザ光及び前記第２のレーザ光源装置から出射する第２のレーザ光を同一の偏向面によって偏向し、それぞれ異なる被走査面上に走査する偏向手段と、
前記レーザ光源装置と前記偏向手段とを備える光学箱と、を有する光学走査装置において、
前記光学箱は、主走査方向において前記第１のレーザ光源装置及び前記第２のレーザ光源装置が共に当接して位置決めされる１つの基準平面と、該副走査方向において前記第１のレーザ光源装置及び前記第２のレーザ光源装置がそれぞれ当接して位置決めされる２つの基準平面と、を有し、該副走査方向における２つの基準平面の間に、前記第１のレーザ光源装置及び前記第２のレーザ光源装置が配置されることを特徴とする光学走査装置。
【請求項２】
前記第１のレーザ光源装置及び前記第２のレーザ光源装置を該主走査方向における前記１つの基準平面と該副走査方向における前記２つの基準平面に対して付勢する１つの付勢部材を有することを特徴とする請求項１に記載の光学走査装置。
【請求項３】
前記第１のレーザ光源装置及び前記第２のレーザ光源装置は、それぞれ複数の発光点を有し、該主走査方向における１つの基準平面と該副走査方向における２つの基準平面にそれぞれ当接した状態で回転調整された後、光硬化型接着剤によって前記光学箱に固定されていることを特徴とする請求項１または２に記載の光学走査装置。
【請求項４】
前記第１のレーザ光源装置及び前記第２のレーザ光源装置は、前記第１のレーザ光の光軸と前記第２のレーザ光の光軸とが所定の角度を有するように前記光学箱に取り付けられていることを特徴とする請求項１乃至３のいずれか１項に記載の光学走査装置。
【発明の詳細な説明】
【技術分野】
【０００１】
本発明は画像情報に応じて複数のレーザ光を各々に対応する複数の感光体に精度よく照射する光学走査装置に関するものである。
【背景技術】
【０００２】
従来より、複数のレーザ光を用いて各々対応する感光体に静電潜像を形成し、シアン、イエロー、マゼンタ、ブラックのトナーにより可視像化して重ね合わせ、カラー画像を形成する画像形成装置がある。このようなカラー画像形成装置において、複数の光ビームを１つの偏向器によって偏向するものとして特許文献１のような光書込装置が提案されている。
【０００３】
特許文献１には、複数のレーザ光源から出射された光ビームを偏向手段および結像手段を介してスポット照射させる光書込装置が開示されている。この光学走査装置においては、２つのレーザ光源をそれぞれ異なる位置に配置するとともにレーザ光源から偏向手段に至る２つの光ビームの入射路のうちでビームの反射手段を設ける入射路と反射手段を設けない入射路とを設定している。この構成により、２つの光ビームを副走査方向に近接させて偏向手段に入射している。
【０００４】
【特許文献１】特開２００６−１５４０９１
【発明の開示】
【発明が解決しようとする課題】
【０００５】
しかしながら、上記特許文献１に記載された光書込装置においては、１つのレーザ光源と偏向手段の間に反射手段を介在させた分だけ、部品点数やコストが増加してしまう。また、介在させた反射手段の組み付け誤差によって２つのレーザ光間で感光体への書込みタイミングに誤差が生じ、転写材上に形成されるカラー画像の色ずれになる。
【０００６】
このような光学走査装置においては、レーザ光源装置から偏向手段までの入射光路中に介在する光学要素がそれぞれ精度良く配置されていないと、副走査方向に近接した２つのレーザ光間で被走査面上を主走査方向に書き出す位置がずれてしまうという課題を生じる。また、主走査平面内において異なる位置に配置していた２つのレーザ光源装置を副走査方向に重ねて配置させようとすると、上側のレーザ光源装置を搭載する座面を２つのレーザ光源装置の間に形成する分だけ光学走査装置が副走査方向に大型化するという問題がある。
【０００７】
本発明は、副走査方向に近接させた２つのレーザ光を偏向手段の同一偏向面によって偏向する光学走査装置において、光学走査装置の小型化をはかるとともに、２つのレーザ光源装置を、主走査方向に精度良く配置できる光学走査装置を提供することを目的とする。
【課題を解決するための手段】
【０００８】
上記課題を解決するために本発明に係る光学走査装置の代表的な構成は、レーザ光を出射する第１のレーザ光源装置と、前記第１のレーザ光源装置に対して副走査方向にずれて配置された第２のレーザ光源装置と、前記第１のレーザ光源装置から出射する第１のレーザ光及び前記第２のレーザ光源装置から出射する第２のレーザ光を同一の偏向面によって偏向し、それぞれ異なる被走査面上に走査する偏向手段と、前記レーザ光源装置と前記偏向手段とを備える光学箱と、を有する光学走査装置において、前記光学箱は、主走査方向において前記第１のレーザ光源装置及び前記第２のレーザ光源装置が共に当接して位置決めされる１つの基準平面と、該副走査方向において前記第１のレーザ光源装置及び前記第２のレーザ光源装置がそれぞれ当接して位置決めされる２つの基準平面と、を有し、該副走査方向における２つの基準平面の間に前記第１のレーザ光源装置及び前記第２のレーザ光源装置が配置されることを特徴とする。
【発明の効果】
【０００９】
本発明によれば、副走査方向に近接させた２つのレーザ光を偏向手段の同一偏向面によって偏向する光学走査装置において、光学走査装置の小型化をはかるとともに、２つのレーザ光源装置を、主走査方向に精度良く配置することができる。したがって、２つのレーザ光に対応する各色間の画像の主走査書き出し位置を精度よく合わせることができる。
【発明を実施するための最良の形態】
【００１０】
［第一実施形態］
本発明に係る光学走査装置の第一実施形態について、図を用いて説明する。
【００１１】
（カラー画像形成装置）
図２は本実施形態に係るカラー画像形成装置１５の構成図である。図２に示すように、カラー画像形成装置１５は、第１、第２の光学走査装置１６ａ、１６ｂを有している。第１、第２の光学走査装置１６ａ、１６ｂは、ほぼ同一の構成である。
【００１２】
光学走査装置１６ａ、１６ｂは、画像情報に基づいて各々光変調された各レーザ光３Ｃ、３Ｙ、３Ｍ、３Ｋを出射し、各々対応する像担持体としての感光体１Ｃ、１Ｙ、１Ｍ、１Ｋ面（被走査面）上を照射して静電潜像を形成する。この静電潜像は、１次帯電器２Ｃ、２Ｙ、２Ｍ、２Ｋによって各々一様に帯電している感光体１Ｃ、１Ｙ、１Ｍ、１Ｋ面上に形成されている。静電潜像は、現像器４Ｃ、４Ｙ、４Ｍ、４Ｋによって各々、シアン、イエロー、マゼンタ、ブラックのトナー像に可視像化される。トナー像は、転写ベルト７上を搬送されてくる紙など転写材８に転写ローラ５Ｃ、５Ｙ、５Ｍ、５Ｋによって順に転写され、カラー画像が形成される。
【００１３】
一方、給送トレイ９上に積載された転写材８は、給送ローラ１０によって１枚ずつ順に給送される。給送された転写材８は、レジストローラ１１によって画像の書き出しタイミングに同期をとって転写ベルト７上に送り出される。そして、感光体１Ｃ、１Ｙ、１Ｍ、１Ｋ面上に形成されたシアンの画像、イエローの画像、マゼンダの画像、ブラックの画像が順に転写材８上に転写されてカラー画像が形成される。
【００１４】
駆動ローラ１２は、回転ムラの小さな駆動モータ（図示しない）と接続しており、転写ベルト７の送りを精度よく行う。転写材８上に形成されたカラー画像は、定着器１３によって熱定着されたのち、排出ローラ１４などによって搬送されて装置外に出力される。
【００１５】
（光学走査装置）
図１は本実施形態における光学走査装置１６ｂ（１６ａも同一構成）の構成図である。図１に示すように、光学走査装置１６ｂは、回転多面鏡２１、スキャナモータ２３、第２ｆθレンズ２４Ｋ、２４Ｍ、反射ミラー２５〜２７、光学箱２９を有している。光学走査装置１６ｂは、半導体レーザ３０Ｋ、３０Ｍ、コリメータレンズ３１Ｋ、３１Ｍ、シリンドリカルレンズ３２、受光素子３４、第１のレーザ光源装置５１Ｋ及び第２のレーザ光源装置５１Ｍ（図４参照）、板バネ５４（図５参照）を有している。
【００１６】
図１中に記載されているＺ軸は、レーザ光３の主走査方向と直交する軸であって、より厳密には回転多面鏡２１の回転軸である。Ｘ軸は、Ｚ軸に直交する光軸である。Ｙ軸はレーザ光３の走査平面内にあってＸ軸に直交する軸である。
【００１７】
半導体レーザ３０Ｋ、３０Ｍは、Ｚ方向（副走査方向；レーザ光の主走査方向と直交する方向）上下に配設されている。偏向手段としての回転多面鏡２１及びスキャナモータ２３、反射ミラー２５〜２７、ｆθレンズ２４などの光学部材は樹脂製の光学箱２９に内包される。光学箱２９の上部開口は、蓋部材１９（図２参照）によって閉塞される。
【００１８】
半導体レーザ３０Ｋ、３０Ｍから出射したレーザ光３（第１のレーザ光３Ｋ、第２のレーザ光３Ｍ）は、コリメータレンズ３１Ｋ、３１Ｍ、シリンドリカルレンズ３２を透過した後、回転多面鏡２１の同一の反射面２２（偏向面）に集光される。回転多面鏡２１はスキャナモータ２３によって高速に回転駆動され、入射したレーザ光３Ｋ、３Ｍを同方向に偏向する。
【００１９】
偏向された第１のレーザ光３Ｋは、第１ｆθレンズ２０を通過し、反射ミラー２５に反射された後、第２ｆθレンズ２４Ｋを通過し、反射ミラー２６により、感光ドラム１Ｋ上に集光、走査して静電潜像を形成する。
【００２０】
偏向された第２のレーザ光３Ｍは、第１ｆθレンズ２０を通過し、第２ｆθレンズ２４Ｍを通過した後、反射ミラー２７に反射され、感光ドラム１Ｍ上に集光、走査して静電潜像を形成する。
【００２１】
同期検知装置を構成する受光素子３４は、２つのレーザ光３のうちどちらか一方のレーザ光を検知可能な位置に配設されている。受光素子３４から得られる同期信号が不図示のレーザ駆動基板に伝達されることによって半導体レーザ３０Ｋ、３０Ｍの変調タイミングを決定し、感光体１の所定の位置に画像を形成することができる。
【００２２】
（レーザ光源装置）
図３に示すように、レーザ光源装置５１Ｋ（５１Ｍも同一構成）は、亜鉛ダイカストやガラス強化プラスチックなどで成形された略円筒形状のレーザホルダ５０の一端に圧入等の手段によって半導体レーザ３０Ｋを強固に保持している。レーザホルダ５０のレーザ光の出射端にはコリメータレンズ３１Ｋが位置調整されて接着固定されている。レーザ光源装置５１Ｋ、５１Ｍは、半導体レーザ３０から出射したレーザ光３を平行光または規定の収束光に変換し、所定の方向に出射する。
【００２３】
２つのレーザ光源装置５１Ｋ、５１Ｍは、Ｚ方向の上下に近接して配置されている。レーザ光源装置５１Ｋ、５１Ｍから各々出射したレーザ光３Ｋ、３Ｍは、Ｘ軸を基準としてＺ方向（副走査方向）に互いに所定の角度αを有して回転多面鏡２１の同一反射面２２（同一偏向面）に照射される。
【００２４】
図４に示すように、レーザ光源装置５１Ｋ、５１Ｍは、各々光学箱２９に矢印Ｗ１、Ｗ２方向に挿入されて固定される。
【００２５】
Ｘ方向（光軸方向）において、レーザホルダ５０に設けられた突き当て部５７Ｋ、５７Ｍ（図５参照）が光学箱２９に当接するまで、レーザ光源装置５１Ｋ、５１Ｍを矢印Ｗ１、Ｗ２方向に挿入して固定する。
【００２６】
Ｙ方向（主走査方向）において、光学箱２９に設けられた支持部６１Ｋ、６１Ｍ、６２Ｋ、６２Ｍ（基準平面）はＺ方向と略平行である。支持部６１、６２は、Ｘ方向の前後に設けられている。レーザホルダ５０はＸ方向の前後に、高精度の円筒形状の当接部５２Ｋ、５２Ｍ、５３Ｋ、５３Ｍを有している。当接部５２Ｋ〜５３Ｍと支持部６１Ｋ〜６２Ｍとが当接することで、レーザ光源装置５１が光学箱２９に固定される。
【００２７】
支持部６１Ｋ〜６２Ｍは、同一の基準平面を有するように設けられている。これにより、レーザ光源装置５１Ｋ、５１Ｍは、後述する板バネ５４などによってＹ方向（主走査方向）における同一の基準平面に精度よく位置決めされて取り付けられる。
【００２８】
Ｚ方向（副走査方向）において、光学箱２９は、レーザ光源装置５１Ｋ、５１Ｍの上側と下側に、支持部６３Ｋ、６３Ｍ、６４Ｋ、６４Ｍ（基準平面）を有している。支持部６３Ｋ〜６４Ｍは、各々、支持部６１Ｋ〜６２Ｍに対して８０°〜９０°の角度で配置されている。
【００２９】
レーザホルダ５０に設けられた当接部５２Ｋ、５２Ｍ、５３Ｋ、５３Ｍが、付勢部材である板バネ５４（図５参照）によって支持部６３Ｋ〜６４Ｍに付勢されて、レーザ光源装置５１Ｋ、５１Ｍが光学箱２９に固定される。ここで、Ｚ方向で当接している支持部６３Ｋと支持部６４Ｋの座面と、支持部６３Ｍと支持部６４Ｍの座面との間に、レーザ光源装置５１Ｋ及びレーザ光源装置５１Ｍが配置される構成により、レーザ光源装置５１Ｋとレーザ光源装置５１Ｍを近接させて光学走査装置を小型化することができる。また、レーザ光３Ｋと３Ｍの出射角度αも小さくできる。
【００３０】
レーザ光源装置５１Ｋ、５１Ｍは、上述したように光学箱２９にＸ、Ｙ、Ｚの各方向で支持された状態で挿入されている。この状態で、図５に示すように、板バネ５４は、レーザ光源装置５１Ｋ、５１Ｍを支持部６２Ｋ（６２Ｍ）と支持部６４Ｋ（６４Ｍ）に付勢（押圧）している。板バネ５４の付勢方向（押圧方向）は、支持部６２Ｋ（６２Ｍ）と支持部６４Ｋ（６４Ｍ）の２等分方向Ｕ１（Ｕ２）である。ここで、２つのレーザ光源装置５１Ｋ、５１Ｍを主走査方向における１つの基準平面（支持部６２Ｋ、６２Ｍ）と副走査方向における２つの基準平面（支持部６４Ｋ及び支持部６４Ｍ）に対して１つの付勢部材（板バネ５４）によって付勢している。この構成により、各レーザ光源装置に対してそれぞれ付勢部材を設ける必要がないので、部品点数を削減することができる。
【００３１】
この押圧位置はレーザ光源装置５１Ｋ、５１Ｍを変形させないために、支持部６３Ｋ（６３Ｍ）と６４Ｋ（６４Ｍ）の近傍２ヶ所ずつであることが望ましい。このように上下に配置されたレーザ光源装置５１Ｋ、５１Ｍは近接して光学箱２９に取り付けることができる。
【００３２】
また、本実施形態の光学走査装置１６は、２つのレーザ光源装置５１Ｋ、５１Ｍから出射したレーザ光３Ｋ、３Ｍのうち、一方のレーザ光をのみ受光素子３４で検知して画像形成する。このため、レーザ光３Ｋ、３Ｍは、互いの出射方向にばらつきが少なく、おおよそ同じであることが好ましい。本実施形態の光学走査装置１６によれば、２つのレーザ光源装置５１Ｋ，５１Ｍを主走査方向において同一の基準平面で支持しているのため、２つのレーザ光３Ｋ、３Ｍの変調開始タイミングの補正量を小さく、かつ高分解能にして調整できる。  また、図６に示すように、半導体レーザ３０は、発光時に熱を発生し、レーザホルダ５０に熱を伝える。例えば、ガラス強化プラスチックのレーザホルダで、コリメータレンズ３１近傍のレーザホルダ５０の温度と半導体レーザ３０近傍のレーザホルダ５０の温度差を計測する。すると、８〜１０℃程度半導体レーザ３０近傍の温度の方が高くなる。この時、光学箱２９に当接している当接部５２と当接部５３を比べると、当接部５３の方が熱による樹脂の膨張が大きくなりレーザ光源装置５１が矢印Ｙ１方向に回転する。この回転量がレーザ光源装置毎に異なる場合、感光体上のレーザ光の走査位置ずれとなりカラー画像の色ずれになる。
【００３３】
しかしながら、本実施形態の光学走査装置１６においては、Ｚ方向（副走査方向）にレーザ光源装置５１Ｋ、５１Ｍを近接して配置し、Ｙ方向（主走査方向）を同一の基準平面で支持する。これにより、光学走査装置を小型化できる。また、レーザ光源装置５１Ｋ、５１Ｍを主走査方向に精度良く配置することができるので、各色の画像の主走査書き出し位置を精度よく合わせることができる。また、熱膨張によるレーザ光源装置５１Ｋ、５１Ｍの回転方向と回転量は、ほぼ同じ回転方向、回転量となり、感光体上のレーザ光３Ｋ、３Ｍの位置ずれを揃えることができる。
【００３４】
また、回転多面鏡２１の反射面２２に入射するレーザ光３Ｋ、３Ｍが走査平面に対して角度をもって入射する斜入射光学系として、特開平１０−３２７３０２、特開２００１−０５１２２６に記載の斜入射光学系がある。このような斜入射光学系を用いた時、回転多面鏡２１の反射面２２の出入り（Ｘ方向の位置ずれ）によって走査線ピッチが不均一になることが知られている。このとき、レーザ光３Ｋ、３ＭのＺ方向（副走査方向）における出射角度αが大きいほど、装置が大型化するとともに走査線ピッチもより不均一となる。
【００３５】
しかしながら、本実施形態に示すように、レーザ光源装置５１Ｋ、５１Ｍを副走査方向に近接して配置することにより、レーザ光３Ｋ、３ＭのＺ方向（副走査方向）における出射角度αを小さくできる。よって、光学走査装置を小型化できるとともに、走査線ピッチ不均一の不良（いわゆるバンディング）を低減でき、画像品質を維持できる。
【００３６】
尚、本実施形態では、回転多面鏡２１に所定の角度αをもってレーザ光を入射する斜入射光学系について説明したが、本発明はかかる構成に限定されるものではなく、上記効果が得られるものであれば角度αを有しなくてもよい。また、支持部の配置やその数に関しても、本発明は上記構成に限定されるものではなく、安定して支持できればよい。
【００３７】
［第二実施形態］
次に本発明に係る光学走査装置の第二実施形態について図を用いて説明する。図７は本実施形態に係る複数の発光点を有するレーザ光源装置の取り付けを説明する図である。上記第一実施形態と説明の重複する部分については、同一の符号を付して説明を省略する。
【００３８】
図７に示すように、本実施形態に係る光学走査装置は、上記第一実施形態の半導体レーザ３０Ｋ、３０Ｍに変えて、マルチレーザである半導体レーザ７０Ｋ、７０Ｍを用いたものである。
【００３９】
半導体レーザ７０Ｋ、７０Ｍは、例えば発光点が２つある場合、副走査方向（Ｚ方向）の走査線調整を行う必要がある。
【００４０】
第１のレーザ光源装置７１Ｋ及び第２のレーザ光源装置７１Ｍは、前記実施形態と同様に、板バネ７７によって光学箱７９の支持部７５Ｋ、７５Ｍと支持部７６Ｋ、７６Ｍに付勢して仮固定されている。副走査方向の走査線が所定の間隔になるようにレーザ光源装置７１Ｋ、７１Ｍを各々の光軸Ｘ１周りに回転調整する。
【００４１】
回転調整後に、レーザホルダ７２Ｋ、７２Ｍに設けられたフランジ部７３Ｋ、７３Ｍと、光学箱７９に設けられた接着部７４Ｋ、７４Ｍを跨ぐように、例えばＵＶ接着剤７８（光硬化型接着剤）を塗布して固定する。フランジ部７３Ｋ、７３Ｍの突出方向は、支持部７５Ｋ、７５Ｍと支持部７６Ｋ、７６Ｍの２等分方向Ｕ１、Ｕ２と略平行である。
【００４２】
これにより、接着剤の硬化収縮する方向が支持部７５Ｋ、７５Ｍ、支持部７６Ｋ、７６Ｍに突き当たる方向になる。このため、レーザ光源装置７１Ｋ、７１Ｍを支持部７５Ｋ、７５Ｍ、７６Ｋ、７６Ｍから浮かせることなくレーザ光源装置７１Ｋ、７１Ｍを固定できる。
【００４３】
［第三実施形態］
次に本発明に係る光学走査装置の第三実施形態について図を用いて説明する。上記第一実施形態と説明の重複する部分については、同一の符号を付して説明を省略する。
【００４４】
図８は本実施形態に係る光学走査装置１７の構成図である。図８に示すように、本実施形態の光学走査装置１７は、１つの光学走査装置から４色に分解された画像信号によって各々対応する感光体上にレーザ光を照射し、フルカラー画像を形成する。
【００４５】
光学走査装置１７は、左右に２つ、更には上下にも２列、すなわち４つのレーザ光源装置８１を二次元的に配置する。レーザ光源装置８１は、上記実施形態とほぼ同一の構成であって、半導体レーザ８０、コリメータレンズ８２、レーザホルダ８３から構成されている。光学走査装置１７は、回転多面鏡８４を中心にして左右が略対称にレンズ８５、８６、８７やミラー８８、８９、９０を有している。
【００４６】
レーザ光は、反時計回り方向に高速で回転している回転多面鏡８４によって偏向される。図８中の左側に配置された２つのレーザ光源から出射したレーザ光は感光体上で矢印Ｓ１の方向に走査される。一方、図８中の右側に配置された２つのレーザ光源から出射したレーザ光は感光体上で矢印Ｓ２の方向に走査されるため、逆方向に画像が形成される。
【００４７】
この場合、左右各々２つずつのレーザ光を検知して感光体上を走査する画像形成のタイミングを合わせることが好ましい。しかし、この検知手段が多くなり構成が複雑になるため、光学走査装置１７は最小限の検知手段で画像形成タイミングを合わせる。
【００４８】
画像形成位置を揃えるための検知手段９１は、レーザ光源装置８１の図８中左側に配置されており、１つのレーザ光の画像書き出し位置を決定する。他の３つのレーザ光の書き出し位置は、前記１つのレーザ光から発生する検知信号をトリガとして事前にディレイ時間を検出して記憶させておくことにより決定する。これにより、全てのレーザ光３が感光体１の所定位置に画像を形成できる。
【００４９】
図９はレーザ光源装置８１および光学箱９２の光源挿入部９３を表す図である。図９に示すように、レーザホルダ８３は、略円筒形状をした先端側当接部８３１と根元側当接部８３２を有する。光学箱９２は、レーザ光源装置８１を位置決めするための先端側支持部９４と根元側支持部９５を備えている。
【００５０】
先端側支持部９４は、各レーザ光源装置８１の先端側当接部８３１に対応して、Ｙ方向と略平行な面９４１とＺ方向に略平行な面９４２を有している。根元側支持部９５は、各レーザ光源装置８１の根元側当接部８３２に対応して、Ｙ方向と略平行な面９５１とＺ方向と略平行な面９５２を有している。
【００５１】
このように光源挿入部９３は、Ｙ方向と略平行な面９４１、９５１とＺ方向に略平行な面９４２、９５２とこれらに挟まれた隅部４箇所で構成されたトンネル形状である。
【００５２】
各隅部に対してレーザ光源装置８１が１つずつ取り付けられ、先端側当接部８３１を先端側支持部９４に、根元側当接部８３２を根元側支持部９５に、それぞれ当接してレーザ光源装置８１の位置を決定する。
【００５３】
位置決めされたレーザ光源装置８１は、板バネ９６などによって隅部方向に付勢され、固定される。隣り合う２つのレーザ光源装置８１の付勢方向は略９０°をなしている。また、Ｘ方向の位置決めは、レーザホルダ８３の突き当て部８３３を光学箱９２に突き当てて行われる。
【００５４】
このようにレーザ光源装置を光学箱に対して主走査方向に精度よく取り付けることによって、上述の如く、基準となるレーザ光から得られる検知信号をトリガにして、他の３つのレーザ光の主走査書き出し位置を合わせやすくなる。
【００５５】
また、図１０に示すように、半導体レーザ８０が発熱することによって、前述したように半導体レーザの熱がレーザホルダ８３に伝わり先端側当接部８３１に対して根元側当接部８３２の方が温度が高くなる。この２つの当接部８３１、８３２の熱膨張の差によってレーザ光３が互いに離れる方向Ｔ１、Ｔ２にレーザ光源装置８１が回転する。この時、回転多面鏡８４の異なる面によって走査されたレーザ光３はそれぞれＴ１ａ、Ｔ２ａの方向に変動する。よって、変動したレーザ光３は、感光体１上で同一方向にずれるため、走査線ピッチ不均一の不良（いわゆるバンディング）も低減でき、カラー画像の色ずれへの影響は小さい。
【００５６】
このように、本実施形態の光学走査装置１７は、装置の小型化に有効な上に、上下左右に配置されたレーザ光源装置８１から出射した４つのレーザ光３は相互に感光体上での位置を維持でき、カラー画像品質を損なうことを抑制できる。
【００５７】
なお、本実施形態では、レーザ光源装置８１の固定手段に板バネ９６を用いたときの構成について述べたが、固定手段として接着剤を用いてもよい。
【図面の簡単な説明】
【００５８】
【図１】第一実施形態に係る光学走査装置の構成図である。
【図２】第一実施形態に係る光学走査装置を用いたカラー画像形成装置の断面図である。
【図３】第一実施形態のレーザ光源装置周辺の断面図である。
【図４】第一実施形態のレーザ光源装置の組み付けを説明する図である。
【図５】第一実施形態のレーザ光源装置部の詳細図である。
【図６】第一実施形態の半導体レーザが発熱した時にレーザ光が変動することを説明する図である。
【図７】第二実施形態に係る複数の発光点を有するレーザ光源装置の取り付けを説明する図である。
【図８】第三実施形態に係る光学走査装置の構成図である。
【図９】第三実施形態に係るレーザ光源装置の組み付けを説明する図である。
【図１０】第三実施形態に係る半導体レーザが発熱した時にレーザ光が変動することを説明する図である。
【符号の説明】
【００５９】
２１、８４    …回転多面鏡
２４    …第２ｆθレンズ（光学部材）
２５〜２７    …反射ミラー（光学部材）
２９、７９、９２    …光学箱
５１、７１、８１    …レーザ光源装置
６１、６２、６３、６４    …支持部（基準平面）
【図１】
2008268239.tif 000003
【図２】
2008268239.tif 000004
【図３】
2008268239.tif 000005
【図４】
2008268239.tif 000006
【図５】
2008268239.tif 000007
【図６】
2008268239.tif 000008
【図７】
2008268239.tif 000009
【図８】
2008268239.tif 000010
【図９】
2008268239.tif 000011
【図１０】
2008268239.tif 000012